(57)【要約】【課題】ニードルレスコネクターの広い範囲を殺菌することができる殺菌装置を提供すること。【解決手段】本発明の殺菌装置は、紫外光を出射する光源と、前記光源から離れるにしたがって内径が拡大するように構成された反射面を有し、前記光源から出射された紫外光を前記ニードルレスコネクターに向けて反射させるための反射部と、を有する。【選択図】図１
2020081745.tif 000002
【特許請求の範囲】
【請求項１】
ニードルレスコネクターを殺菌するための殺菌装置であって、
紫外光を出射する光源と、
前記光源から離れるにしたがって内径が拡大するように構成された反射面を有し、前記光源から出射された紫外光を前記ニードルレスコネクターに向けて反射させるための反射部と、
を有する殺菌装置。
【請求項２】
前記反射面は放物面を含む、請求項１に記載の殺菌装置。
【請求項３】
前記反射部は複合放物面型集光器である、請求項１または請求項２に記載の殺菌装置。
【請求項４】
前記反射面はアルミニウム層の表面である、請求項１〜３のいずれか一項に記載の殺菌装置。
【請求項５】
前記光源は前記反射部の内部に配置されている、請求項１〜４のいずれか一項に記載の殺菌装置。
【発明の詳細な説明】
【技術分野】
【０００１】
本発明は、ニードルレスコネクターを殺菌するための殺菌装置に関する。
【背景技術】
【０００２】
現代の医療において、IVカテーテルを用いて薬剤や栄養剤を静脈内に送り込むことは有力なヘルスケアの方法の一つになっている。現在、このカテーテルが原因となる院内感染が医療現場で大きな問題となっており、カテーテル関連血流感染症（ＣＲ−ＢＳＩ）と呼ばれている。現状では、このようなカテーテル関連血流感染症は、院内や人体の皮膚に存在する表皮ブドウ球菌、黄色ブドウ球菌、緑濃菌、大腸菌などが繁殖し、これらの菌がカテーテルを通じて人体に侵入することが原因となり引き起こされることが知られている。
【０００３】
IVカテーテルの投与セットにおいて、薬液側の雄ルアーと人体側の留置カテーテルとの間を接続するために、ニードルレスコネクターが一般的に使用されるが、上記のようなカテーテル関連血流感染症の約半数は、このニードルレスコネクターに起因することが知られている。具体的には、上記のような菌またはウイルスがニードルレスコネクターの表面または内部に付着して、時間をかけてバイオフイルムと呼ばれるコロニーを形成し、このコロニーから菌がカテーテルを通じて人体に侵入することによって感染症が引き起こされると考えられている。
【０００４】
このような感染症を防ぐためのカテーテルの操作手順として、カテーテルを流れる輸液が入った輸液容器を交換するときに、薬液側の雄ルアーが、人体側に留置されているニードルレスコネクターに接続される部分をエタノールやＩＰＡ、クロロヘキシジンなどの殺菌作用のある有機溶媒を含ませた脱脂綿で１５秒〜３０秒程度強くふき取るということが広く行われてきた。この手順により感染症をある程度減らせることもわかっている。
【０００５】
しかしながら、この手順は医療現場においてかなり手間がかかるため負担となっており、またふき取る時間やふき取る強さなども個人差があることに加えて、医療現場においてこの手順が必ずしも実行されていないという問題が存在している。
【０００６】
このようなニードルレスコネクターに起因する感染症の問題を解決するための発明として、紫外光の殺菌作用を積極的に利用しようとするものがある（例えば特許文献１参照）。
【０００７】
特許文献１に記載のＵＶ殺菌システムは、ＵＶ光源を含むハウジングと、内部反射面を含むシールドとを有している。シールドは、ハウジングの受口に保持されている。シールドの内部にニードルレスコネクターの一部を入れた状態で、ＵＶ光源から紫外光を出射すると、ニードルレスコネクターの表面の一部が紫外光により殺菌される。
【先行技術文献】
【特許文献】
【０００８】
【特許文献１】特表２０１５−５２８７０９号公報
【発明の概要】
【発明が解決しようとする課題】
【０００９】
しかしながら、特許文献１に記載の発明では、ニードルレスコネクターの一部の表面しか殺菌できないという問題がある。
【００１０】
本発明は、かかる点に鑑みてなされたものであり、ニードルレスコネクターの広い範囲を殺菌することができる殺菌装置を提供することを目的とする。
【課題を解決するための手段】
【００１１】
本発明に係る殺菌装置は、ニードルレスコネクターを殺菌するための殺菌装置であって、紫外光を出射する光源と、前記光源から離れるにしたがって内径が拡大するように構成された反射面を有し、前記光源から出射された紫外光を前記ニードルレスコネクターに向けて反射させるための反射部と、を有する。
【発明の効果】
【００１２】
本発明によれば、ニードルレスコネクターの広い範囲を殺菌することができる殺菌装置を提供することができる。したがって、本発明によれば、カテーテル関連血流感染症の発生を低減させることができる。
【図面の簡単な説明】
【００１３】
【図１】図１Ａは、本発明の実施形態に係る殺菌装置と、当該殺菌装置によって殺菌されるニードルレスコネクターとを示す図である。図１Ｂは、ニードルレスコネクターを当該殺菌装置で殺菌しているときの状態を示す図である。
【図２】図２は、複合放物面型集光器を示す図である。
【図３】図３Ａは、シミュレーションに用いたニードルレスコネクターのスリーブの断面の一部をＺＹ平面上に示す図である。図３Ｂはスリーブの外観を示す図である。図３Ｃは、シミュレーションに用いたシリコーンの紫外光の透過率スペクトルを示すグラフである。
【図４】図４Ａは、シミュレーションに用いたニードルレスコネクターのハウジングの断面の一部をＺＹ平面上に示す図である。図４Ｂは、ハウジングの外観を示す図である。図４Ｃは、シミュレーションに用いた樹脂の紫外光の透過率スペクトルを示すグラフである。
【図５】図５Ａは、シミュレーションに用いた比較例の光学モデルを示す図である。図５Ｂは、シミュレーションに用いた実施例の光学モデル１を示す図である。
【図６】図６Ａ、Ｂ、Ｃは、図５Ａに示された比較例の光学モデルの照度分布を示すグラフである。図６Ｄ、Ｅ、Ｆは、図５Ｂに示された実施例の光学モデル１の照度分布を示すグラフである。
【図７】図７は、シミュレーションに用いた実施例の光学モデル２を示す図である。
【図８】図８は、図７に示された実施例の光学モデル２の照度分布を示すグラフである。
【図９】図９は、シミュレーションに用いた実施例の光学モデル３を示す図である。
【図１０】図１０Ａ、Ｂ、Ｃは、図９に示された実施例の光学モデル３の照度分布を示すグラフである。
【図１１】図１１は、シミュレーションに用いた実施例の光学モデル４を示す図である。
【図１２】図１２は、図１１に示された実施例の光学モデル４の照度分布を示すグラフである。
【図１３】図１３は、シミュレーションに用いた実施例の光学モデル５を示す図である。
【図１４】図１４は、図１３に示された実施例の光学モデル５の照度分布を示すグラフである。
【発明を実施するための形態】
【００１４】
以下、本発明の実施形態について、図面を参照して詳細に説明する。
【００１５】
（殺菌装置の構成）
図１Ａおよび図１Ｂは、本発明の一実施形態に係る殺菌装置１００の構成を示す断面図である。図１Ａでは、ニードルレスコネクター２００を反射部１２０内に配置する前の様子を示しており、図１Ｂでは、ニードルレスコネクター２００を反射部１２０内に配置した後の様子を示している。
【００１６】
図１Ａおよび図１Ｂに示されるように、殺菌装置１００は、紫外光１１１を出射する光源１１０と、光源１１０から出射された紫外光１１１をニードルレスコネクター２００に向けて反射させる反射部１２０とを有する。
【００１７】
光源１１０は、ニードルレスコネクター２００を殺菌するための紫外光１１１を出射する。光源１１０の種類は、紫外光１１１を出射できるものであれば特に制限されない。光源１１０の例には、半導体レーザー、発光ダイオードが含まれる。光源１１０は、殺菌効果を高めるという観点から、波長２００〜３００ｎｍの深紫外光を出射できる光源が好ましい。深紫外光を出射できる光源の例には、中心波長が２６５ｎｍまたは２８５ｎｍの発光ダイオードが含まれる。光源１１０は、反射部１２０の内部に配置されていてもよいし、外部に配置されていてもよい。また、光源１１０は、例えば、反射部１２０の頂部１２１に配置されてもよい。また、光源１１０は、例えば、反射部１２０の頂部１２１から２〜１０ｍｍ離れた反射部１２０の内部に配置されてもよい。
【００１８】
反射部１２０は、光源１１０から離れるに従って内径が拡大するように構成された反射面１２３を有し、光源１１０から出射された紫外光１１１の少なくとも一部をニードルレスコネクター２００に向けて反射させる。反射部１２０の構成は、上記機能を発揮できれば特に制限されない。反射部１２０は、ニードルレスコネクター２００の全体を取り囲むように構成されてもよいし、一部を取り囲むように構成されてもよい。
【００１９】
反射面１２３は、光源１１０から出射された紫外光１１１をニードルレスコネクター２００に効率よく反射させるという観点から、放射面を含むことが好ましい。反射面１２３の構成は、紫外光１１１を反射させることができれば特に制限されず、例えばアルミニウム層の表面である。具体的には、例えば、反射部１２０は、アルミニウムミラーなどである。
【００２０】
反射部１２０は、光源１１０から出射された紫外光１１１をニードルレスコネクター２００に効率よく反射させるという観点から、複合放物面型集光器であることが好ましい。ここで、複合放物面型集光器（Compound Parabolic Concentrator、ＣＰＣ）は、太陽光発電などのnon imaging opticsにおいてよく使用される、所定の角度範囲から入射した光の集光などに使われる光学部品である。通常は、複合放物面型集光器は、内径が大きい側の端部から入射した光の集光に使用されることが多い。一方、本実施の形態では、複合放物面型集光器は、内径が小さい側の端部近傍から出射された光の集光に使用される。
【００２１】
図２に、複合放物面型集光器の外観の一例を示す。図１に示される反射部１２０は、中空の部材であるが、図２に示される複合放物面型集光器は、光透過性の材料で構成される中実の部材である。一般的な使い方では、左側の端部が光の入口であり、右側の端部が光の出口である。これらを繋ぐ反射面は放物面である。中実の複合放物面型集光器では、反射面は、全反射が生じるように構成されている。複合放物面型集光器の構造および性能を決めるパラメータとしては、光の入口の半径ａｉｎと、光の出口の半径ａｏｕｔと、全体の長さＬとがある。
【００２２】
また、ここで複合放物面型集光器を構成する媒質の屈折率をｎｉとし、複合放物面型集光器の外側の媒質の屈折率をｎｏｕｔとし、入口から入射する光の入射させたい角度範囲をθｉとし、出口から出射する光の出射角度をθｏｕｔとすると、複合放物面型集光器の長さＬおよび集光効率Ｃは、以下の式で表される。
【００２３】
Ｌ＝（ａｉｎ＋ａｏｕｔ）／ｔａｎθｉ      （式１）
Ｃ＝〔ｎｏｕｔｓｉｎθｏｕｔ／ｎｉｓｉｎθｉ〕      （式２）
【００２４】
なお、複合放物面型集光器は、コストを考慮して、図１に示されるような中空構造とすることもある。このような複合放物面型集光器は、特に放物面型ミラーと呼ばれることがある。
【００２５】
なお、図１Ａおよび図１Ｂには示されていないが、殺菌装置１００は、ニードルレスコネクター２００を適切な位置に配置するための位置決め部を有していてもよい。位置決め部の構成は、ニードルレスコネクター２００を反射部１２０内外の適切な位置に配置することができれば特に制限されないが、例えば反射部１２０とニードルレスコネクター２００との間に配置される。殺菌装置１００が位置決め部を有する場合、位置決め部は、ニードレスコネクター２００を殺菌装置１００内の適切な位置に配置するとともに、反射部１２０とニードルレスコネクター２００とが接触することを防止し、例えば高価であることがある反射部１２０が汚染されることを防止することができる。
【００２６】
殺菌対象のニードルレスコネクター２００の構成は、特に制限されない。図１Ａに示される例では、ニードルレスコネクター２００は、ハウジング２１０と、スリーブ２２０とを有する。スリーブ２２０は、ハウジング２１０内に収容されている。ニードルレスコネクター２００の頂部２０１は、薬液側のカテーテルからの雄ルアーを受け入れる側の部分であり、ニードルレスコネクター２００の底部２０２は、人体側のカテーテルと接続される側の部分である。
【００２７】
ニードルレスコネクター２００にカテーテルの雄ルアーを接続する方式には、スプリットセプタム式とメカニカルライプ式とがある。スプリットセプタム式では、薬液側のカテーテルの雄ルアーがスリーブ２２０に入り込むことで、スリーブ２２０内を液体が通過できるようになる。メカニカルライプ式では、薬液側のカテーテルの雄ルアーを押し込むと、スリーブ２２０がハウジング２１０内に押し込まれて液体が通過できるようになる。
【００２８】
ハウジング２１０の材料は、必要な強度を有していれば特に制限されないが、ニードルレスコネクター２００の内部まで殺菌する観点からは、紫外光１１１を透過させる材料であることが好ましく、２００ｎｍ〜３００ｎｍの範囲の深紫外光を透過させる材料であることがより好ましい。このようなハウジング２１０の材料の例には、環状オレフィンコポリマー、ポリメチルペンテン、環状ブロックコポリマーなどが含まれる。ハウジング２１０の材料の具体例には、三井化学株式会社のＴＰＸ−ＲＴ１８、ＵＳＩ社のＶｉｖｉＯｎなどが含まれる。
【００２９】
一方、スリーブ２２０の材料も、必要な強度を有していれば特に制限されないが、ニードルレスコネクター２００の内部まで殺菌する観点からは、紫外光１１１を透過させる材料であることが好ましく、２００ｎｍ〜３００ｎｍの範囲の深紫外光を透過させる材料であることがより好ましい。スリーブ２２０の材料の例には、無色または有色のシリコーン樹脂が含まれる。具体的なシリコーン樹脂の例には、モメンティブ社のＬＳＲ−７０６０やＬＳＲ−７０８０ＨＰ、東レ株式会社のダウシリコーンのＭＳ−１００２、信越化学工業株式会社の同様のシリコーン樹脂などが含まれる。
【００３０】
（殺菌装置の動作）
次に、殺菌装置１００によりニードルレスコネクター２００を殺菌する方法について説明する。
【００３１】
図１Ｂに示されるように、ニードルレスコネクター２００を殺菌するときには、例えば、ニードルレスコネクター２００の少なくとも一部が収容されるようにする。
【００３２】
光源１１０から紫外光１１１を出射すると、出射された紫外光１１１の一部は、ニードルレスコネクター２００に直接到達し、出射された紫外光１１１の他の一部は、反射部１２０で反射されて反射光１１２となり、ニードルレスコネクター２００の光源１１０側の部分（頂部２０１）だけでなく反対側の部分（底部２０２）にも到達する。また、ニードルレスコネクター２００（特にハウジング２１０）が紫外光１１１を透過させる材料で構成されている場合は、紫外光１１１（反射光１１２）はニードルレスコネクター２００の内部にも到達する。これにより、実質的にニードルレスコネクター２００のすべての表面が、紫外光１１１により殺菌される。
【００３３】
（効果）
以上のように、本発明の実施形態に係る殺菌装置１００では、光源１１０から直接到達した紫外光１１１だけでなく、反射部１２０で反射された紫外光１１１（反射光１１２）によってもニードルレスコネクター２００が殺菌されるため、実質的にニードルレスコネクター２００のすべての表面が紫外光１１１により殺菌される。
【００３４】
（シミュレーション１）
本発明の実施形態に係る殺菌装置による殺菌効果を知るために、光学モデルを用いて、ニードルレスコネクターに対する紫外光の照度のシミュレーションを行った。以下に当該シミュレーションに用いたニードルレスコネクターの構成およびシミュレーションの条件について説明する。
【００３５】
図３Ａおよび図３Ｂは、シミュレーションに用いた殺菌対象のニードルレスコネクターのスリーブを示す図である。図３Ａは、ＺＹ平面上にスリーブの断面の一部を示した図であり、図３Ｂはスリーブの外観を示す図である。図３Ｂに示されるスリーブの形状は、図３Ａに示す断面をＺ軸を回転軸として回転することで得られる。図３Ａに示されるように、スリーブは長さが２０ｍｍで、最大外径は８ｍｍである。
【００３６】
スリーブの材料は、モメンティブ社のシリコーン樹脂（ＬＳＲ−７０８０ＨＰ）とした。波長λ２６５ｎｍの光について、この樹脂の屈折率ｎは、１．４７７３４であり、この樹脂の吸収係数ｋは、０．００００１であった。
【００３７】
図３Ｃは、厚さ１ｍｍのシリコーン樹脂（ＬＳＲ−７０８０ＨＰ）の紫外光の透過スペクトルを示すグラフである。図３Ｃから、波長２６５ｎｍの深紫外光の透過率は６０％程度であることがわかる。
【００３８】
図４Ａおよび図４Ｂは、シミュレーションに用いた殺菌対象のニードルレスコネクターのハウジングを示す図である。図４Ａは、ＺＹ平面上にハウジングの断面の一部を示した図であり、図４Ｂはハウジングの外観を示す図である。図４Ｂに示されるハウジングの形状は、図４Ａに示す断面をＺ軸を回転軸として回転することで得られる。
【００３９】
ハウジングの材料は、三井化学株式会社のポリメチルペンテン（ＴＰＸ−ＲＴ１８）とした。波長λ２６５ｎｍの光について、この樹脂の屈折率ｎは、１．４７６３であり、この樹脂の吸収係数ｋは、０．００００２であった。
【００４０】
図４Ｃは、厚さ１ｍｍのＴＰＸ−ＲＴ１８の板の紫外光の透過率スペクトルを示すグラフである。図４Ｃから、波長２６５ｎｍの深紫外光の透過率は、２３％程度であることがわかる。
【００４１】
図５Ａは、図３Ｂに示されたスリーブおよび図４Ｂに示されたハウジングからなるニードルレスコネクター５００を用いた、比較例に係る光学モデルを示す図である。この光学モデルでは、反射部１２０を使用していない。図５Ａの光学モデルでは、ニードルレスコネクター５００の頂部２０１から５ｍｍ離れた位置に深紫外光を出射する発光ダイオード５１０が配置されている。発光ダイオード５１０は、中心波長が２６５ｎｍであり、発光領域が１×１ｍｍのランバート光源である。１個の発光ダイオード５１０の出力は、３０ｍＷとした。なお、このような発光ダイオードの例には、日機装株式会社製の発光ダイオード、旭化成株式会社製の発光ダイオード、スタンレー電気株式会社製の発光ダイオード、ＤＯＷＡエレクトロニクス株式会社製の発光ダイオードが含まれる。
【００４２】
図５Ｂは、図３Ｂに示されたスリーブおよび図４Ｂに示されたハウジングからなるニードルレスコネクター５００を用いた、実施例に係る殺菌装置を用いた光学モデル１を示す図である。この光学モデル１では、反射部５２０内にニードルレスコネクター５００を配置した。反射部５２０（複合放物面型集光器）のパラメータは、大きい方の開口部の内径２ａｉｎ＝１７.５４３ｍｍ、小さい方の開口部の内径２ａｏｕｔ＝６ｍｍ、光の入射角度範囲θｉ＝２０°とし、全長Ｌ＝３２.３４ｍｍとした。ここで、複合放物面型集光器の頂部５２１（出口）の位置に深紫外線を照射する発光ダイオード５１０を設置して、さらに複合放物面型集光器の頂部５２１から１０ｍｍ下にニードルネスコネクター５００の頂部２０１を設置した。
【００４３】
今回のシミュレーションでは、照度計をニードルレスコネクターの中心軸上においたと仮定して、この中心軸に直交する方向の照度分布を測定した。具体的には、モンテカルロ法による光線追跡を行い、各点における照度を計算した。このような計算を行うことができる光学計算ソフトウェアとしては、米国のSynospsys社のLightToolsや米国のZemax社のOpticstudioがよく知られている。
【００４４】
上記条件にて、ニードルレスコネクターの頂部２０１から底部２０２に向かって５ｍｍ、１０ｍｍ、２０ｍｍの位置の照度分布を計算した。
【００４５】
図６Ａ、Ｂ、Ｃは、図５Ａに示された比較例に係る光学モデルにおける、ニードルレスコネクター５００の頂部２０１から５ｍｍ、１０ｍｍ、２０ｍｍのそれぞれの位置での照度分布を示すグラフである。図６Ｄ、Ｅ、Ｆは、図５Ｂに示された実施例に係る光学モデル１における、ニードルレスコネクター５００の頂部２０１から５ｍｍ、１０ｍｍ、２０ｍｍのそれぞれの位置での照度分布を示すグラフである。なお、各グラフにおいて縦軸のスケールが異なっている。
【００４６】
図６Ａと図６Ｄ、図６Ｂと図６Ｅ、図６Ｃと図６Ｆをそれぞれ比べると、図５Ａの比較例に係る光学モデルと図５Ｂの実施例に係る光学モデル１とにおける照度分布の違いがわかる。すなわち、実施例ではニードルレスコネクター５００の頂部２０１から離れた位置での照度があまり落ちておらず、これは反射部５２０によって光がニードルレスコネクター５００内に閉じ込められた効果によるものだと考えられる。
【００４７】
（シミュレーション２）
本発明の実施形態に係る殺菌装置による殺菌効果を知るために、光学モデル２を用いて、ニードルレスコネクターに対する紫外光の照度のシミュレーションを行った。以下に光学モデル２について説明するが、光学モデル１と同一の構成要素については同一の符号を付してその説明を省略する。
【００４８】
図７は、本発明の実施例に係る光学モデル２を示す図である。図７の光学モデル２は、発光ダイオード５１０を反射部５２０の頂部５２１から５ｍｍの位置の反射部５２０内に設置した点において上記の光学モデル１と相違する。
【００４９】
図８Ａ、Ｂ、Ｃは、図７に示された光学モデル２における、ニードルレスコネクター５００の頂部２０１から５ｍｍ、１０ｍｍ、２０ｍｍのそれぞれの位置での照度分布を示すグラフである。なお、各グラフにおいて縦軸のスケールが異なっている。
【００５０】
図８Ａ、Ｂ、Ｃを図６Ｄ、Ｅ、Ｆと比べると、発光ダイオード５１０を頂部５２１から５ｍｍ下の位置に設置した光学モデル２の方が光学モデル１よりニードルレスコネクター５００の頂部２０１からより離れた位置まで照度が落ちていないことがわかった。
【００５１】
（シミュレーション３）
本発明の実施形態に係る殺菌装置による殺菌効果を知るために、光学モデル３を用いて、ニードルレスコネクターに対する紫外光の照度のシミュレーションを行った。以下に光学モデル３について説明するが、光学モデル１と同一の構成要素については同一の符号を付してその説明を省略する。
【００５２】
図９は、本発明の実施例に係る光学モデル３を示す図である。図９の光学モデル３は、反射部として反射部９２０を使用している点で光学モデル１と相違する。
【００５３】
反射部９２０（放物面型集光器）のパラメータは、大きい方の開口部の内径２ａｉｎ＝１８．４３ｍｍ、小さい方の開口部の内径２ａｏｕｔ＝６ｍｍ、光の入射角度範囲θｉ＝１９°とし、全長Ｌ＝３５．４７ｍｍとした。このように、光学モデル３で使用した反射部９２０は、光学モデル１で使用した反射部５２０より少し大きい。なお、発光ダイオード５１０は、反射部９２０の頂部９２１に設置した。
【００５４】
図１０Ａ、Ｂ、Ｃは、図９に示された光学モデル３における、ニードルレスコネクター５００の頂部２０１から５ｍｍ、１０ｍｍ、２０ｍｍのそれぞれの位置での照度分布を示すグラフである、なお、各グラフにおいて縦軸のスケールが異なっている。
【００５５】
図１０Ａ、Ｂ、Ｃを、図６Ｄ、Ｅ、Ｆと比べると、光学モデル３の照度分布は光学モデル１と同様にニードルレスコネクター５００の頂部２０１から離れた位置での照度があまり落ちておらず、反射部９２０によって光がニードルレスコネクター５００内に閉じ込められた効果によるものだと考えられる。
【００５６】
（シミュレーション４）
本発明の実施形態に係る殺菌装置による殺菌効果を知るために、光学モデル４用いて、ニードルレスコネクターに対する紫外光の照度のシミュレーションを行った。以下に光学モデル４について説明するが、光学モデル１、３と同一の構成要素については同一の符号を付してその説明を省略する。
【００５７】
図１１は、本発明の実施例に係る光学モデル４を示す図である。図１１の光学モデル４は、発光ダイオード５１０を反射部９２０の頂部９２１から２．５ｍｍの位置の反射部９２０内に設置した点において上記の光学モデル３と相違する。
【００５８】
図１２Ａ、Ｂ、Ｃは、図１１に示された光学モデル４における、ニードルレスコネクターの頂部２０１から５ｍｍ、１０ｍｍ、２０ｍｍのそれぞれの位置での照度分布を示すグラフである、なお、各グラフにおいて縦軸のスケールが異なっている。
【００５９】
図１２Ａ、Ｂ、Ｃを図１０Ａ、Ｂ、Ｃと比べると、発光ダイオード５１０を頂部９２１から２．５ｍｍの位置に設置した光学モデル４の方が光学モデル２よりニードルレスコネクター２００の頂部２０１からより離れた位置まで照度が落ちていないことがわかった。
【００６０】
（シミュレーション５）
本発明の実施形態に係る殺菌装置による殺菌効果を知るために、光学モデル５用いて、ニードルレスコネクターに対する紫外光の照度のシミュレーションを行った。以下に光学モデル５について説明するが、光学モデル１、３と同一の構成要素については同一の符号を付してその説明を省略する。
【００６１】
図１３は、本発明の実施例に係る光学モデル５を示す図である。図１３の光学モデル５は、発光ダイオード５１０を反射部９２０の頂部９２１から５ｍｍの位置の反射部９２０内に設置した点において上記の光学モデル３と相違する。
【００６２】
図１４Ａ、Ｂ、Ｃは、図１３に示された光学モデル５における、ニードルレスコネクター５００の頂部２０１から５ｍｍ、１０ｍｍ、２０ｍｍのそれぞれの位置での照度分布を示すグラフである、なお、各グラフにおいて縦軸のスケールが異なっている。
【００６３】
図１４Ａ、Ｂ、Ｃを、図１０Ａ、Ｂ、Ｃおよび図１２Ａ、Ｂ，Ｃと比べると、発光ダイオード５１０を頂部９２１から５ｍｍの位置に設置した光学モデル５の方が光学モデル３、４よりニードルレスコネクター２００の頂部２０１からより離れた位置まで照度が落ちていないことがわかった。
【００６４】
（シミュレーションのまとめ）
以上のシミュレーション１〜５から、発光ダイオード５１０（光源１１０）の位置を変えることでニードルレスコネクター５００の頂部２０１からの特定の位置の照度を強くして、ニードルレスコネクター５００の特定の部分の殺菌作用を強くすることができることがわかる。
【産業上の利用可能性】
【００６５】
本発明の殺菌装置によれば、ニードルレスコネクターのより広い範囲を殺菌することができる。したがって、本発明によれば、カテーテル関連血流感染症の発生を低減させることができる。
【符号の説明】
【００６６】
１００  殺菌装置
１１０  光源
１１１  紫外光
１１２  反射光
１２０、５２０、９２０  反射部
１２１、２０１、５２１、９２１  頂部
１２３  反射面
２００、５００  ニードルレスコネクター
２０２  底部
２１０  ハウジング
２２０  スリーブ
５１０  発光ダイオード
【図１】
2020081745.tif 000003
【図２】
2020081745.tif 000004
【図３】
2020081745.tif 000005
【図４】
2020081745.tif 000006
【図５】
2020081745.tif 000007
【図６】
2020081745.tif 000008
【図７】
2020081745.tif 000009
【図８】
2020081745.tif 000010
【図９】
2020081745.tif 000011
【図１０】
2020081745.tif 000012
【図１１】
2020081745.tif 000013
【図１２】
2020081745.tif 000014
【図１３】
2020081745.tif 000015
【図１４】
2020081745.tif 000016